(57)【要約】【課題】中間側板や床面の意匠を傷付けることなく中間側板を押し上げることの出来るエレベーターの乗かご組立工具の提供。【解決手段】一辺にネジ部を有する押し上げ台１０ａと、そのネジ部にジャッキボルト１０ｂを挿入した構造の押し上げ工具１０を用い、ジャッキボルト１０ｂで中間側板３ｂを押し上げる。【選択図】図１
2005082360.tif 000002
【特許請求の範囲】
【請求項１】
乗かごの壁面を構成する側板を複数枚に分割し、中間側板を除く他の側板を天井板、床枠及び隣接側板に固定した後、前記中間側板を乗かごの内側から嵌め込み、かつ前記天井板方向に押し上げて固定するエレベーターの乗かごにおいて、一辺にネジ部を有する押し上げ台と、前記押し上げ台のネジ部に挿入されるジャッキボルトを用いて、前記中間側板を押し上げることを特徴とするエレベーターの乗かご組立工具。
【発明の詳細な説明】
【技術分野】
【０００１】
本発明はエレベーターの乗かご組立工具に係り、特に、乗かごの壁面を複数枚に分割し、これらの側板を乗かごの内側から嵌め込み固定するエレベーターの乗かご組立工具に関する。
【背景技術】
【０００２】
図３は従来一般に用いられているエレベータの乗かごの平面図、図４は中間側板の嵌め込み動作を示し、図３のＸ−Ｘ線に沿う側面図である。
【０００３】
乗かご１は図３に示すように、乗かご１の両側面をそれぞれ構成する側面側板２ａ、２ｂ、２ｃと、乗かご１の背面を構成する背面両脇側板３ａ、３ｃおよび背面中間側板３ｂと、出入ロに配設されるかごドア４と、かごドア４の両側に立設される出入口柱５と、出入口柱５と側面側板２ａ間に配設される前面側板６とを備えている。また、前記の背面中間側板３ｂは図４に示すように、乗かご１の床７に固定された床枠８と、乗かご１の天井を構成する天井板９との間に配設される。さらに、前記の床枠８は図４に示すように、その上端、下端に折曲部８ａ、８ｂを有し、折曲部８ｂが床７と当接する。また、背面中間側板３ｂも、その上端、下端に折曲部３ｂ１、３ｂ２を有し、折曲部３ｂ１が天井板９、折曲部３ｂ２が床枠８の折曲部８ａと当接する。
【０００４】
このように構成された従来の乗かご１にあってその組立は、まず側面側板２ａ〜２ｃ、背面両脇側板３ａ、３ｃおよび前面側板６のそれぞれを天井板９、床枠８および隣接側板に固定した後、背面中間側板３ｂを乗かご１の内側から水平移動させて嵌め込み同定するようになっている（例えば、特許文献１、特許文献２参照。）。
【特許文献１】特開昭６３−２７７１８８号公報（第２頁、左欄下段２０行−右欄下段１５行、第３図）
【特許文献２】特開平３−１９２０８８号公報（第４頁、右欄上段１行−左欄下段１２行、第１図）
【発明の開示】
【発明が解決しようとする課題】
【０００５】
ところで、前述した従来のものでは、背面中間側板３ｂを嵌め込む際、作業者は背面中間側板３ｂの両脇を把持して作業を行うことから、この背面中間側板３ｂを水平移動させることは実質不可能であり、図４に示すように背面中間側板３ｂの下端を支点として回動させながら床枠８と天井板９間に嵌め込むことになる。しかし、矢印Ｙに示すように背面中間側板３ｂの嵌め込み時にこの背面中間側板３ｂの上端と天井板９が干渉し、天井板９の意匠面を傷付けてしまうという問題があった。
【０００６】
また、図５に示すように、バール１１を用い、てこの原理で側板を押し上げることも考えられるが、押し上げた後、スライド床枠８ａを固定する際に不安定であり、背面中間側板３ｂ及びスライド床枠８ａが滑落し、バール１１で背面中間側板３ｂあるいは床面７ａを傷付けるおそれがあった。
【０００７】
本発明の目的は、中間側板や床面の意匠面を傷つけることなく、中間側板を組み込むことができるエレベーターの乗かご組立工具を提供することにある。
【課題を解決するための手段】
【０００８】
この目的を達成する為に本発明の請求項１に係る発明は、一辺にネジ部を有する押し上げ台と、ネジ部にジャッキボルトを挿入した構造となっている。
【０００９】
本発明の請求項１に係る発明によれば、中間側板を押し上げる際に押し上げ工具のジャッキボルトでスライド床枠を押し上げることから、中間側板が滑落することもなく、中間側板及び床面を傷付けることなくスライド床枠を固定することが出来る。
【発明の効果】
【００１０】
本発明の請求項１記載の発明によれば、押し上げ工具が床面とスライド床枠の間に挿入されていることから、中間側板及びスライド床粋が滑落することがなく、したがって乗かごの側板の組立時に中間側板あるいは床面の意匠面に傷が付くことを防止し、顧客に対して質の高い製品の納入を行うことが出来る。
【発明を実施するための最良の形態】
【００１１】
以下、本発明のエレベーターの乗かご組立工具の実施の形態を図に基づいて説明する。
【００１２】
図１は本発明のエレベーターの乗かご組立工具の一実施形態を示す側面図、図２は図３のＹ方向から見た図である。
【００１３】
なお、前述した図３、図５に示すものと同等のものには同一符号が付してある。すなわち、１は乗かご、３ａ、３ｃは背面両脇側板、３ｂは背面中間側板、７は床、７ａは床面、８は床枠、８ａはスライド床枠、９は天井板である。また、乗かご１の基本的な構成は前述した図３に示すものと同等であることから説明を省略する。
【００１４】
本実施形態の押し上げ工具１０は図１に示すように、一辺にネジ部を有する押し上げ台１０ａのネジ部にジャッキボルト１０ｂを挿入した構造となっている。
【００１５】
この実施形態にあっては、ジャッキボルト１０ｂを天井板９の方向へ螺進させることで中間側板３ｂを取り付けたスライド床枠８ａを天井板９の方向へ押し上げ、充分押し上げたところで、天井板９と中間側板３ｂを固定し、床枠８とスライド床枠８ａを固定する。その後、ジャッキボルト１０ｂを床面７ａの方向へ螺進させ、押し上げ工具１０を取り外す。
【００１６】
このように構成した実施形態では、床面７ａとスライド床枠８ａの間に押し上げ工具１０が入っていることから、中間側板３ｂとスライド床枠８ａの滑落を防止し、中間側板３ｂ及び床面７ａの意匠面を傷付けることなく中間側板３ｂを天井板９の方向へ押し上げることが出来る。
【図面の簡単な説明】
【００１７】
【図１】本発明の一実施形態を示し、図３のＸ−Ｘ線に沿う側面図である。
【図２】図１を図３のＹ方向から見た図である。
【図３】従来一般に用いられているエレベーターの乗かごの平面図である。
【図４】中間側板の嵌めこみ動作を示し、図３のＸ−Ｘ線に沿う側面図である。
【図５】従来の中間側板押し上げ動作を示し、図３のＸ−Ｘ線に沿う側面図である。
【符号の説明】
【００１８】
１    乗かご
２ａ、２ｂ、２ｃ  側面側板
３ａ、３ｃ  背面両脇側板
３ｂ  背面中間側板
４    かごドア
５    出入口柱
６    前面側板
７    床
７ａ  床面
８    床枠
８ａ  スライド床枠
９    天井板
１０  押し上げ工具
１０ａ  押し上げ台
１０ｂ  ジャッキボルト
１１  バール
【図１】
2005082360.tif 000003
【図２】
2005082360.tif 000004
【図３】
2005082360.tif 000005
【図４】
2005082360.tif 000006
【図５】
2005082360.tif 000007
【手続補正書】
【提出日】平成15年10月28日(2003.10.28)
【手続補正１】
【補正対象書類名】明細書
【補正対象項目名】０００３
【補正方法】変更
【補正の内容】
【０００３】
乗かご１は図３に示すように、乗かご１の両側面をそれぞれ構成する側面側板２ａ、２ｂ、２ｃと、乗かご１の背面を構成する背面両脇側板３ａ、３ｃおよび背面中間側板３ｂと、出入ロに配設されるかごドア４と、かごドア４の両側に立設される出入口柱５と、出入口柱５と側面側板２ａ間に配設される前面側板６とを備えている。また、前記の背面中間側板３ｂは図４に示すように、乗かご１の床７に固定された床枠８と、乗かご１の天井を構成する天井板９との間に配設される。さらに、前記の床枠８は図４に示すように、その上端にスライド床枠８ａ、下端に折曲部８ｂを有し、折曲部８ｂが床７と当接する。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
ところで、前述した従来のものでは、図４に示すように、バール１１を用い、てこの原理で側板を押し上げることが考えられるが、押し上げた後、スライド床枠８ａを固定する際に不安定であり、背面中間側板３ｂ及びスライド床枠８ａが滑落し、バール１１で背面中間側板３ｂあるいは床面７を傷付けるおそれがあった。
【手続補正４】
【補正対象書類名】明細書
【補正対象項目名】００１３
【補正方法】変更
【補正の内容】
【００１３】
なお、前述した図３、図４に示すものと同等のものには同一符号が付してある。すなわち、１は乗かご、３ａ、３ｃは背面両脇側板、３ｂは背面中間側板、７は床、７ａは床面、８は床枠、８ａはスライド床枠、９は天井板である。また、乗かご１の基本的な構成は前述した図３に示すものと同等であることから説明を省略する。
【手続補正５】
【補正対象書類名】明細書
【補正対象項目名】００１７
【補正方法】変更
【補正の内容】
【００１７】
【図１】本発明の一実施形態を示し、図３のＸ−Ｘ線に沿う側面図である。
【図２】図１を図３のＹ方向から見た図である。
【図３】従来一般に用いられているエレベーターの乗かごの平面図である。
【図４】従来の中間側板の嵌めこみ動作を示し、図３のＸ−Ｘ線に沿う側面図である。
【手続補正６】
【補正対象書類名】図面
【補正対象項目名】図４
【補正方法】変更
【補正の内容】
【図４】
2005082360.tif 000008
【手続補正７】
【補正対象書類名】図面
【補正対象項目名】図５
【補正方法】削除
【補正の内容】